(57)【要約】【課題】通気口回りの強度低下を防止することができるペットキャリーを提供する。【解決手段】キャリー本体の下部及び上部構成部材１２を上下方向へ型抜きされる金型によって容器状に成形し、両構成部材１２の側壁面３４に縦長の通気口３６を並設する。隣接する通気口３６の対向する縁に、通気口３６が開設された両側壁面３４の一般部４１より本体外側へ延出するリブ４３を形成し、各リブ４３の先端を連結壁４４で連結して隣接する通気口３６間に本体内側に開口した断面コ字状の補強部４５を形成する。隣接した通気口３６間に延在する連結壁４４先端に、本体内側へ向けて延出し側壁面３５の一般部４１に連接された連接壁５１を設け、隣接したリブ４３の先端を、この連接壁５１により連結して各補強部４５の端部を補強する。【選択図】          図５
2004344083.tif 000002
【特許請求の範囲】
【請求項１】
キャリー本体の壁面に複数の長穴が並設されたペットキャリーにおいて、
隣接する長穴の対向する縁に、本体外側へ延出するリブを各々形成するとともに、両リブの先端を連結壁で連結し、隣接する長穴間に、本体内側に開口する断面コ字状の補強部を形成したことを特徴とするペットキャリー。
【請求項２】
前記連結壁の端部に、内側へ向かって延びて前記キャリー本体の前記壁面に連接される連接壁を設けたことを特徴とする請求項１記載のペットキャリー。
【請求項３】
前記キャリー本体を上下に分割される分割体で構成し、少なくとも一方の分割体を上下方向に型抜きされて容器状に成形される容器状部材で構成する一方、
この容器状部材の側面に、上下に延在した前記長穴を横方向に配列するとともに、当該容器状部材を成型する上下の金型によるパーティングラインを、前記リブの平面部分に設定したことを特徴とする請求項１又は２記載のペットキャリー。
【発明の詳細な説明】
【０００１】
【発明の属する技術分野】
本発明は、ペットを輸送する際に使用するペットキャリーに関する。
【０００２】
【従来の技術】
従来、旅行先などにペットを連れて行く際には、図６に示すように、ペットキャリー１０１が用いられていた（例えば、特許文献１参照。）。
【０００３】
このペットキャリー１０１のキャリー本体１１１は、左右の分割体１１２，１１２によって構成されており、両分割体１１２，１１２接合時に前後に形成される開口部１１３，１１３は、扉に１１４，１１４よって開閉自在に閉鎖されるように構成されている。
【０００４】
前記分割体１１２，１１２及び扉１１４，１１４には、斜めに延在する通気口１２１，・・・が開設されており、通気性が確保されている。
【０００５】
【特許文献１】
実開平３−７４２４３号公報（第１図）
【０００６】
【発明が解決しようとする課題】
しかしながら、このようなペットキャリー１０１にあっては、分割体１１２，１１２及び扉１１４，１１４に多数の通気口１２１，・・・が開設されているため、キャリー本体１１１の強度が低下するという問題があった。
【０００７】
本発明は、このような従来の課題に鑑みてなされたものであり、通気口回りの強度低下を防止することができるペットキャリーを提供することを目的とするものである。
【０００８】
【課題を解決するための手段】
前記課題を解決するために本発明の請求項１のペットキャリーにあっては、キャリー本体の壁面に複数の長穴が並設されたペットキャリーにおいて、隣接する長穴の対向する縁に、本体外側へ延出するリブを各々形成するとともに、両リブの先端を連結壁で連結し、隣接する長穴間に、本体内側に開口する断面コ字状の補強部を形成した。
【０００９】
すなわち、隣接する長穴間に、本体内側へ開口する断面コ字状の補強部を形成することができる。これにより、長穴が形成されたキャリー本体の剛性が高められる。
【００１０】
加えて、見た目の剛性感も高めることができる。
【００１１】
また、請求項２のペットキャリーにおいては、前記連結壁の端部に、内側へ向かって延びて前記キャリー本体の前記壁面に連接される連接壁を設けた。
【００１２】
これにより、キャリー本体の縦横の強度を高めることができ、捩れに対する剛性もさらに高められる。
【００１３】
さらに、請求項３のペットキャリーでは、前記キャリー本体を上下に分割される分割体で構成し、少なくとも一方の分割体を上下方向に型抜きされて容器状に成形される容器状部材で構成する一方、この容器状部材の側面に、上下に延在した前記長穴を横方向に配列するとともに、当該容器状部材を成型する上下の金型によるパーティングラインを、前記リブの平面部分に設定した。
【００１４】
すなわち、長穴が形成された容器状部材を成型する上下の金型によるパーティングラインは、長穴の縁に形成されたリブの平面部分に設定されている。
【００１５】
このため、パーティングラインが長穴の縁部に設定された場合と比較して、キャリー本体内側へ向けたバリによる尖りの発生が防止される。
【００１６】
【発明の実施の形態】
以下、本発明の一実施の形態を図に従って説明する。図１は、本実施の形態にかかるペットキャリー１を示す図であり、このペットキャリー１は、ペットを旅行先など連れて行く際に使用するものである。
【００１７】
このペットキャリー１は、ケース状に形成されたキャリー本体１１からなり、該キャリー本体１１は、上下に分割される分割体としての下部構成部材１２と上部構成部材１３とによって構成されている。これら構成部材１２，１３は、上下方向へ型抜きされる金型によって容器状に成形されており、本発明の容器状部材を構成している。
【００１８】
すなわち、前記下部構成部材１２は、上方へ開口する容器状に形成されており、前記上部構成部材１３は、下方へ開口する容器状に形成されている。前記下部構成部材１２の上部開口縁には下部接合部１４が、前記上部構成部材１３の下部開口縁には下部接合部１５が形成されており、前記両構成部材１２，１３は、両接合部１４，１５が接合された状態でねじ止めされて連結されている。
【００１９】
前記下部構成部材１２の底面２１には、キャスター２２，・・・が取り付けられており、当該キャリー本体１１を床面に沿って移動できるように構成されている。前記上部構成部材１３の天面２３には、取っ手２４が傾倒自在に取り付けられており（図４参照）、当該キャリー本体１１を持ち運びできるように構成されている。
【００２０】
両構成部材１２，１３が接合されてなる前記キャリー本体１１前壁面３１には、図２に示すように、矩形状の出入口３２が設けられており、該出入口３２は、金網３３によって開閉自在に閉鎖されている。また、図１及び図３に示すように、前記キャリー本体１１の側壁面３４，３４及び後壁面３５には、長穴からなる通気口３６，・・・が多数設けられており、キャリー本体１１内部の通気性を確保できるように構成されている。
【００２１】
すなわち、キャリー本体１１を構成する下部構成部材１２及び上部構成部材１３の両側壁面３４，３４及び後壁面３５には、上下が円弧状に形成された長穴である前記通気口３６，・・・が前記下部及び上部接合部１４，１５に沿って横方向に並設されている。また、隣接する通気口３６，３６の対向する縁には、図４及び図５に示すように、当該通気口３６，・・・が開設された両側壁面３４，３４及び後壁面３５の一般部４１，４２より本体外側へ延出するリブ４３，・・・が形成されている。各リブ４３，・・・は、その先端が連結壁４４によって連結されており、隣接する通気口３６，３６の間には、図５の（ｂ）にも示すように、本体内側に開口した断面コ字状の補強部４５が形成されている。
【００２２】
前記連結壁４４は、前記各接合部１４，１５まで形成されており、前記両側壁面３４，３４及び前記後壁面３５は、前記一般部４１，４２と該一般部４１，４２より本体外側に突出した前記連結壁４４とによって形成されている。隣接した通気口３６，３６間に延在する前記連結壁４４の先端には、本体内側へ向けて延出し、前記両側壁面３５，３５及び前記後壁面３５の一般部４１，４２に連接される連接壁５１が設けられており、隣接したリブ４３，４３の先端は、この連接壁５１によって連結され前記各補強部４５，・・・の端部が補強されている。
【００２３】
そして、前記各構成部材１２，１３を成型する上下の金型によるパーティングラインＰＬは、前記リブ４３，・・・の前記通気口３６，・・・側の面であって、その平面部分に設定されており、図５中の下部構成部材１２においては、前記通気口３６両脇の補強部４５，４５部分を成形する下金型を下方へ型抜きできるように構成されている。
【００２４】
以上の構成にかかる本実施の形態において、隣接する通気口３６，３６間に、本体内側へ開口する断面コ字状の補強部４５が形成されているため、通気口３６，・・・が形成されたキャリー本体１１の剛性を高めることができる。
【００２５】
したがって、通気性を確保する為の通気口３６，・・・を設けることによってキャリー本体１１の強度が低下するという問題を解消することができる。
【００２６】
なおかつ、見た目の剛性感も高めることができる。
【００２７】
また、前記連結壁４４の端部に本体内側へ延出してキャリー本体１１の各壁面４１，４２に連接される連接壁５１を設けることにより、前記補強部４５の端部を補強することができる。これにより、捩れに対する剛性を高めることができる。
【００２８】
さらに、通気口３６が形成された各構成部材１２，１３を成型する上下の金型によるパーティングラインＰＬを、通気口３６の縁に形成されたリブ４３，・・・の平面部分に設定したため、パーティングラインＰＬが通気口３６の縁部に設定された場合と比較して、キャリー本体１１内側へ向けたバリによる尖りの発生が防止することができる。
【００２９】
したがって、キャリー本体１１内側へ向けて尖りが生じ得る場合と比較して、ペットに対する影響を防止することができる。
【００３０】
【発明の効果】
以上説明したように、本発明の請求項１のペットキャリーにあっては、隣接する長穴間に本体内側へ開口する断面コ字状の補強部を形成することができ、長穴が形成されたキャリー本体の剛性を高めることができる。
【００３１】
したがって、通気性を確保する為の長穴を設けることによって、キャリー本体の強度が低下するという問題を解消することができる。
【００３２】
なおかつ、見た目の剛性感も高めることができる。
【００３３】
また、請求項２のペットキャリーにおいては、連結壁の端部に本体内側へ延出してキャリー本体の壁面に連接される連接壁を設けることにより、前記補強部の端部を補強することができる。これにより、捩れに対する剛性も高めることができる。
【００３４】
さらに、請求項３のペットキャリーにおいては、長穴が形成された容器状部材を成型する上下の金型によるパーティングラインを、長穴の縁に形成されたリブの平面部分に設定したため、パーティングラインが長穴の縁部に設定された場合と比較して、キャリー本体内側へ向けたバリによる尖りの発生が防止することができる。
【００３５】
したがって、キャリー本体内側へ向けて尖りが生じ得る場合と比較して、ペットに対する影響を防止することができる。
【図面の簡単な説明】
【図１】本発明の一実施の形態を示す側面図である。
【図２】同実施の形態を示す正面図である。
【図３】同実施の形態を示す背面図である。
【図４】図３のＡ−Ａ線に沿った断面図である。
【図５】（ａ）は、同実施の形態の要部断面図であり、（ｂ）は、そのＢ部拡大図である。
【図６】従来のペットキャリーを示す分解斜視図である。
【符号の説明】
１    ペットキャリー
１１    キャリー本体
１２    下部構成部材
１３    上部構成部材
３４    側壁面
３５    後壁面
３６    通気口
４４    連結壁
４５    補強部
５１    連接壁
ＰＬ    パーティングライン
【図１】
2004344083.tif 000003
【図２】
2004344083.tif 000004
【図３】
2004344083.tif 000005
【図４】
2004344083.tif 000006
【図５】
2004344083.tif 000007
【図６】
2004344083.tif 000008